(57)【要約】【課題】印刷用紙として指定用紙を選択できない場合に利用地域に応じた代替用紙の選択を実現する。【解決手段】用紙選択部５０は、印刷指示情報により指定される指定用紙を印刷用紙として選択できない場合に、テーブル記憶部６０に記憶されたテーブル情報に従って、指定用紙に代わる代替用紙を選択する。用紙選択部５０は、テーブル記憶部６０に記憶された複数地域のテーブル情報のうちの画像形成装置１００に対応付けられた利用地域のテーブル情報に従って、指定用紙に代わる代替用紙を選択する。【選択図】図１
2018024129.tif 000002
【特許請求の範囲】
【請求項１】
印刷用紙として指定用紙を選択できない場合に、各地域ごとに指定用紙に代わる代替用紙を定めた複数地域の用紙情報の中から特定される利用地域の用紙情報に従って、指定用紙に代わる代替用紙を選択する画像形成装置。
【請求項２】
請求項１に記載の画像形成装置において、
指定用紙への印刷を指示する印刷指示情報を受け付ける手段と、
前記指示された指定用紙を印刷用紙として選択できない場合に、当該画像形成装置に対応付けられた前記利用地域の用紙情報に従って、前記指示された指定用紙に代わる代替用紙を選択する選択手段と、
を有する、
ことを特徴とする画像形成装置。
【請求項３】
請求項２に記載の画像形成装置において、
前記選択手段は、当該画像形成装置に設定された国情報と言語情報の少なくとも一方から特定される地域の用紙情報を前記利用地域の用紙情報とする、
ことを特徴とする画像形成装置。
【請求項４】
請求項２または３に記載の画像形成装置において、
前記選択手段は、ユーザのログイン期間中において一時的に、当該ユーザのログイン情報から特定される地域の用紙情報を前記利用地域の用紙情報とする、
ことを特徴とする画像形成装置。
【請求項５】
請求項２から４のいずれか１項に記載の画像形成装置において、
前記選択手段は、前記印刷指示情報から地域の用紙情報を特定できる場合に、当該地域の用紙情報を前記利用地域の用紙情報とする、
ことを特徴とする画像形成装置。
【請求項６】
請求項２から５のいずれか１項に記載の画像形成装置において、
前記複数地域の用紙情報として、各地域ごとに指定用紙の候補となる複数の用紙サイズと代替用紙の候補となる複数の用紙サイズとの対応関係を定めた複数地域のテーブル情報を記憶する手段をさらに有し、
前記選択手段は、前記指示された指定用紙の用紙サイズを印刷用紙として選択できない場合に、前記複数地域のテーブル情報に含まれる前記利用地域のテーブル情報に従って、前記指示された指定用紙の用紙サイズに代わる代替用紙の用紙サイズを選択する、
ことを特徴とする画像形成装置。
【請求項７】
請求項１から６のいずれか１項に記載の画像形成装置において、
選択された代替用紙に対する印刷の予想結果が不具合条件を満たす場合に当該代替用紙への印刷を中止する、
ことを特徴とする画像形成装置。
【請求項８】
コンピュータに、
印刷用紙として指定用紙を選択できない場合に、各地域ごとに指定用紙に代わる代替用紙を定めた複数地域の用紙情報の中から特定される利用地域の用紙情報に従って、指定用紙に代わる代替用紙を選択する機能、
を実現させる、
ことを特徴とするプログラム。
【発明の詳細な説明】
【技術分野】
【０００１】
本発明は、画像形成装置及びプログラムに関する。
【背景技術】
【０００２】
例えば、印刷を指示する情報によって指定される指定用紙が画像形成装置にセットされていない場合に、画像形成装置にセットされている用紙の中から、指定用紙に代わる代替用紙を選択する技術が知られている。
【０００３】
例えば、特許文献１には、印刷制御情報において指定された指定用紙が無い場合に給紙トレイに収容されている用紙の何れかに対する印刷を指定する設定と、指定用紙が無い場合に指定用紙の代替用紙への印刷を指定する設定と、指定用紙が無い場合に指定用紙が補充されるまで所定時間待機してから指定用紙の代替用紙への印刷を指定する設定と、を選択可能とした印刷装置が記載されている。特許文献１には、指定サイズとしてＡ４とＬｅｔｔｅｒの何れか一方のサイズが指定されたときに他方のサイズを代替サイズとする具体例が説明されている。
【０００４】
また、特許文献２には、印刷途中に指定サイズ用紙が無くなった場合や最初から指定サイズ用紙が無かった場合に、自動的にその指定サイズ用紙の整偶数倍の代替サイズ用紙を検知して代替サイズ用紙への印刷をユーザに勧める画像形成装置が記載されている。
【先行技術文献】
【特許文献】
【０００５】
【特許文献１】特許第５４８７８０１号公報
【特許文献２】特開２０１４−１１０５０５号公報
【発明の概要】
【発明が解決しようとする課題】
【０００６】
ところで、例えば、日本においてはＪＩＳ規格（日本工業規格）で画定されるＪＩＳ−Ｂ列の用紙を利用するが、欧州ではＪＩＳ規格は一般的ではなくＩＳＯ（国際標準化機構）で画定されるＩＳＯ−Ｂ列の用紙が利用される。したがって、指定用紙が無い場合の代替用紙として、例えば日本においてはＩＳＯ−Ｂ列の用紙よりもＪＩＳ−Ｂ列の用紙を選択できることが望ましい。これに対し、例えば欧州においてはＪＩＳ−Ｂ列の用紙よりもＩＳＯ−Ｂ列の用紙を選択できることが望ましい。このように、指定用紙に代わる代替用紙として望ましい用紙は地域ごとに異なる場合がある。
【０００７】
本発明は、印刷用紙として指定用紙を選択できない場合に利用地域に応じた代替用紙の選択を実現することにある。
【課題を解決するための手段】
【０００８】
請求項１に係る発明は、印刷用紙として指定用紙を選択できない場合に、各地域ごとに指定用紙に代わる代替用紙を定めた複数地域の用紙情報の中から特定される利用地域の用紙情報に従って、指定用紙に代わる代替用紙を選択する画像形成装置である。
【０００９】
請求項２に係る発明は、請求項１に記載の画像形成装置において、指定用紙への印刷を指示する印刷指示情報を受け付ける手段と、前記指示された指定用紙を印刷用紙として選択できない場合に、当該画像形成装置に対応付けられた前記利用地域の用紙情報に従って、前記指示された指定用紙に代わる代替用紙を選択する選択手段と、を有することを特徴とする画像形成装置である。
【００１０】
請求項３に係る発明は、請求項２に記載の画像形成装置において、前記選択手段は、当該画像形成装置に設定された国情報と言語情報の少なくとも一方から特定される地域の用紙情報を前記利用地域の用紙情報とする、ことを特徴とする画像形成装置である。
【００１１】
請求項４に係る発明は、請求項２または３に記載の画像形成装置において、前記選択手段は、ユーザのログイン期間中において一時的に、当該ユーザのログイン情報から特定される地域の用紙情報を前記利用地域の用紙情報とする、ことを特徴とする画像形成装置である。
【００１２】
請求項５に係る発明は、請求項２から４のいずれか１項に記載の画像形成装置において、前記選択手段は、前記印刷指示情報から地域の用紙情報を特定できる場合に、当該地域の用紙情報を前記利用地域の用紙情報とする、ことを特徴とする画像形成装置である。
【００１３】
請求項６に係る発明は、請求項２から５のいずれか１項に記載の画像形成装置において、前記複数地域の用紙情報として、各地域ごとに指定用紙の候補となる複数の用紙サイズと代替用紙の候補となる複数の用紙サイズとの対応関係を定めた複数地域のテーブル情報を記憶する手段をさらに有し、前記選択手段は、前記指示された指定用紙の用紙サイズを印刷用紙として選択できない場合に、前記複数地域のテーブル情報に含まれる前記利用地域のテーブル情報に従って、前記指示された指定用紙の用紙サイズに代わる代替用紙の用紙サイズを選択する、ことを特徴とする画像形成装置である。
【００１４】
請求項７に係る発明は、請求項１から６のいずれか１項に記載の画像形成装置において、選択された代替用紙に対する印刷の予想結果が不具合条件を満たす場合に当該代替用紙への印刷を中止する、ことを特徴とする画像形成装置である。
【００１５】
請求項８に係る発明は、コンピュータに、印刷用紙として指定用紙を選択できない場合に、各地域ごとに指定用紙に代わる代替用紙を定めた複数地域の用紙情報の中から特定される利用地域の用紙情報に従って、指定用紙に代わる代替用紙を選択する機能を実現させることを特徴とするプログラムである。
【発明の効果】
【００１６】
請求項１に係る発明によれば、印刷用紙として指定用紙を選択できない場合に利用地域に応じた代替用紙の選択が実現される。
【００１７】
請求項２に係る発明によれば、画像形成装置に対応付けられた利用地域の用紙情報に従った代替用紙の選択が実現される。
【００１８】
請求項３に係る発明によれば、画像形成装置に設定された国情報と言語情報の少なくとも一方から特定される地域の用紙情報に従った代替用紙の選択が実現される。
【００１９】
請求項４に係る発明によれば、ユーザのログイン情報から特定される地域の用紙情報に従った代替用紙の選択が実現される。
【００２０】
請求項５に係る発明によれば、印刷指示情報から特定される地域の用紙情報に従った代替用紙の選択が実現される。
【００２１】
請求項６に係る発明によれば、指定用紙に代わる代替用紙の選択において、利用地域のテーブル情報に従った用紙サイズの選択が実現される。
【００２２】
請求項７に係る発明によれば、不具合となる印刷結果が予想される代替用紙への印刷が回避される。
【００２３】
請求項８に係る発明によれば、印刷用紙として指定用紙を選択できない場合に利用地域に応じて代替用紙を選択する機能がコンピュータにより実現される。
【図面の簡単な説明】
【００２４】
【図１】本発明の実施において好適な画像形成装置の具体例を示す図である。
【図２】テーブル記憶部に記憶されるテーブル情報の具体例を示す図である。
【図３】指定用紙と代替用紙の対応関係の具体例を示す図である。
【発明を実施するための形態】
【００２５】
図１は、本発明の実施において好適な画像形成装置の具体例を示す図である。画像形成装置１００は、図１に符号を付して示す各部を備えており、画像（文字や数字や記号のみの画像も含む）を印刷用紙に印刷する機能を実現する。
【００２６】
操作受付部１０は、例えばタッチパネルやスイッチ類等の操作デバイスで構成され、画像形成装置１００を利用するユーザからの操作を受け付ける。通信部２０は、例えばインターネットなどの通信回線を介して画像形成装置１００に通信接続されるパーソナルコンピュータなどの外部機器との間で通信を行う。通信部２０による通信には、有線通信プロトコルが利用されてもよいし、例えばWiFi（登録商標）やWiFi Direct（登録商標）、Bluetooth（登録商標）等の無線通信プロトコルが利用されてもよい。
【００２７】
印刷処理部３０は、操作受付部１０または通信部２０が受け付けた印刷指示情報に従って印刷処理を実行する。印刷処理部３０は、印刷指示情報が示す画像データを印刷用紙に印刷する。印刷用紙は給紙トレイ４０にセットされている。給紙トレイ４０には、例えば１種類以上の用紙がセットされており、給紙トレイ４０にセットされた１種類以上の用紙の中から印刷用紙が選択される。
【００２８】
用紙選択部５０は、給紙トレイ４０にセットされた１種類以上の用紙の中から、印刷指示情報によって指定された指定用紙を印刷用紙として選択する。用紙選択部５０は、指定用紙を印刷用紙として選択できない場合に、テーブル記憶部６０に記憶されたテーブル情報に従って、指定用紙に代わる代替用紙を選択する。
【００２９】
テーブル記憶部６０は、例えばハードディスクドライブや半導体メモリ等の記憶デバイスで構成される。テーブル記憶部６０には、各地域ごとに指定用紙に代わる代替用紙を定めた複数地域のテーブル情報が記憶されている。テーブル情報は編集可能であり、例えばユーザが編集を望む場合に、ユーザからの指示に応じてテーブル編集部７０によりテーブル情報が編集される。
【００３０】
付加機能処理部８０は、印刷用紙に対する特殊処理（ポスター印刷など）や、印刷後の印刷用紙に対する後処理（紙折り，折筋付け，製本など）などを実行する。例えば、印刷指示情報に特殊処理や後処理の指示が含まれる場合に、その指示に従って特殊処理や後処理が実行される。
【００３１】
制御部９０は、画像形成装置１００内を全体的に制御する。制御部９０による全体的な制御には、操作受付部１０または通信部２０を介してユーザから受け付けた指示も反映される。
【００３２】
図１に示す画像形成装置１００の好適な具体例には、印刷機、複写機、印刷機能を備えたファクシミリ（ＦＡＸ）などが含まれる。さらに、印刷機能に加えて複写機能とファクシミリ機能のうちの少なくとも一方の機能を兼ね備えた複合機も画像形成装置１００の好適な具体例である。そして、画像形成装置１００は、例えば世界中の様々な地域において利用可能であり、会社や学校や店舗などの施設に設置されて利用される。
【００３３】
また、図１の画像形成装置１００は、例えばコンピュータ等を利用して実現することもできる。そのコンピュータ等は、ＣＰＵ等の演算デバイス、メモリやハードディスク等の記憶デバイス、インターネット等の通信回線を利用する通信デバイス、光ディスクや半導体メモリ等の記憶媒体からデータを読み取りデータを書き込むデバイス、ディスプレイ等の表示デバイス、ユーザから操作を受け付ける操作デバイス等のハードウェア資源を備えている。
【００３４】
そして、例えば、図１に符号を付して示す複数部分のうちの少なくとも一部の機能（用紙選択部５０，テーブル編集部７０，制御部９０などの機能）に対応したプログラム（ソフトウェア）がコンピュータ等に読み込まれ、そのコンピュータ等が備えるハードウェア資源と読み込まれたソフトウェアとの協働により、画像形成装置１００が備える少なくとも一部の機能がコンピュータにより実現される。そのプログラムは、例えば、インターネット等の通信回線を介してコンピュータ（画像形成装置１００）に提供されてもよいし、光ディスク等の記憶媒体に記憶されてコンピュータ（画像形成装置１００）に提供されてもよい。もちろん、印刷処理部３０としての機能を備えたプリンタ（印刷機）とコンピュータとを組み合わせたシステムにより画像形成装置１００が実現されてもよい。
【００３５】
図１の画像形成装置１００の全体構成は以上のとおりである。次に、図１の画像形成装置１００により実現される機能等について詳述する。なお、図１に示した構成（部分）については以下の説明において図１の符号を利用する。
【００３６】
操作受付部１０または通信部２０が受け付ける印刷指示情報（印刷ジョブ）には、画像データと印刷用紙を指定する用紙指定データが含まれており、印刷処理部３０は、印刷指示情報に従って印刷処理を実行する。印刷処理部３０は、印刷指示情報が示す画像データを、用紙選択部５０によって選択される印刷用紙に印刷する。
【００３７】
用紙選択部５０は、印刷指示情報の用紙指定データにより指定される用紙（指定用紙）が給紙トレイ４０にセットされており、その用紙を利用できる場合には、用紙指定データにより指定された指定用紙を印刷用紙として選択する。
【００３８】
一方、印刷指示情報の用紙指定データにより指定される指定用紙が選択できない場合には代替用紙が印刷用紙として選択される。例えば、指定用紙が給紙トレイ４０にセットされていない場合や、指定用紙が給紙トレイ４０にセットされているものの何らかのトラブル等でその指定用紙を利用できない場合に、その指定用紙に代わる代替用紙が印刷用紙として選択される。用紙選択部５０は、指定用紙を印刷用紙として選択できない場合に、テーブル記憶部６０に記憶されたテーブル情報に従って、指定用紙に代わる代替用紙を選択する。
【００３９】
図２は、テーブル記憶部６０に記憶されるテーブル情報の具体例を示す図である。テーブル記憶部６０には、各地域ごとに指定用紙に代わる代替用紙を定めた複数地域のテーブル情報が記憶されている。
【００４０】
図２には、テーブル情報の具体例として、東アジア地域と欧米地域と中国地域のテーブル情報が図示されている。
【００４１】
指定用紙は、操作受付部１０または通信部２０が受け付けた印刷指示情報により指示される用紙である。指定用紙については、地域に関わらず、例えば、画像形成装置１００が利用可能な全ての用紙サイズを指定用紙の候補とすることが望ましい。なお、画像形成装置１００が利用可能な全ての用紙サイズの中から、各地域ごとに指定用紙の候補を絞り込むようにしてもよい。
【００４２】
代替用紙は、印刷指示情報により指示された指定用紙を印刷用紙として選択できない場合に、その指定用紙の代わりに利用される用紙である。代替用紙については、例えば、各地域における用紙の利用状況等に応じて各地域ごとに候補が選ばれる。
【００４３】
例えば、日本や台湾などを含む東アジア地域においては、ＪＩＳ規格（日本工業規格）で画定されるＪＩＳ−Ｂ列の用紙が一般的に利用される。そのため、画像形成装置１００の利用地域が東アジア地域の場合には、ＪＩＳ−Ｂ列の用紙が給紙トレイ４０にセットされている可能性が高い。そこで、東アジア地域においては、ＪＩＳ−Ｂ列の用紙が代替用紙の候補とされる。なお、東アジア地域では、ＩＳＯ（国際標準化機構）で画定されるＡ列の用紙も多用される傾向があるため、Ａ列の用紙も代替用紙の候補とされる。図２に示す具体例以外にも、東アジア地域において利用される可能性が高い用紙サイズを代替用紙の候補とすることが望ましい。
【００４４】
これに対し、欧米地域や中国地域では、ＪＩＳ−Ｂ列の用紙が一般には利用されない。例えば、米国や欧州各国を含む欧米地域では、ＪＩＳ規格は一般的ではなくＩＳＯで画定されるＩＳＯ−Ｂ列の用紙が一般的に利用される。したがって、欧米地域においては、ＪＩＳ−Ｂ列の用紙よりもＩＳＯ−Ｂ列の用紙が給紙トレイ４０にセットされている可能性が高い。そこで、欧米地域においては、ＩＳＯ−Ｂ列の用紙が代替用紙の候補とされる。なお、欧米地域では、ＩＳＯで画定されるＡ列の用紙も多用される傾向があるため、Ａ列の用紙も代替用紙の候補とされる。さらに、欧米地域では、米国の伝統的なデファクトスタンダードであるレターサイズを基準としたＡＮＳＩ規格の用紙も多用されるため、ＡＮＳＩ規格の用紙も代替用紙の候補とされる。もちろん、図２に示す具体例以外にも、欧米地域で利用される可能性が高い用紙サイズを代替用紙の候補とすることが望ましい。
【００４５】
また、中国（中華人民共和国）を含む中国地域では、中国独自の規格である中国サイズの用紙が多用される傾向にある。そこで、中国地域においては、中国サイズの用紙が代替用紙の候補とされる。中国サイズでは、例えば全開〜二十開までのサイズが規定されており、その中でも八開（パーカイ）サイズが有名である。なお、中国地域においても、ＩＳＯで画定されるＡ列の用紙などが代替用紙の候補とされてもよい。
【００４６】
さらに、図２に示す具体例以外の地域についても、各地域ごとに指定用紙に代わる代替用紙を定めたテーブル情報がテーブル記憶部６０に記憶される。
【００４７】
なお、画像形成装置１００の外部にある例えばサーバ装置にテーブル記憶部６０が設けられ、画像形成装置１００が例えばインターネットなどの通信回線を介してそのサーバ装置のテーブル記憶部６０からテーブル情報を得るようにしてもよい。
【００４８】
利用地域は、例えば、画像形成装置１００に設定された国情報と言語情報の少なくとも一方から特定される。画像形成装置１００が設置されると、例えば、その画像形成装置１００の管理者がその画像形成装置１００に国情報と言語情報を設定する。例えば、その画像形成装置１００が設置された場所の国名が国情報として設定される。また、その画像形成装置１００が設置された場所における例えば公用語が言語情報として設定される。国情報と言語情報は、例えば、画像形成装置１００が備えるメモリ等に記憶される。
【００４９】
用紙選択部５０（または制御部９０）は、画像形成装置１００に設定された国情報と言語情報の少なくとも一方に基づいて、その画像形成装置１００の利用地域を特定する。例えば、国情報が示す国名が含まれる地域が利用地域とされる。また、言語情報が示す言語（例えば公用語）に対応付けられた地域が利用地域とされてもよい。国情報から特定される地域と言語情報から特定される地域が異なる場合には、例えば画像形成装置１００の管理者がその画像形成装置１００の利用地域を指定できるようにしてもよい。
【００５０】
なお、画像形成装置１００を利用してユーザが印刷を行う場合に、ユーザのログイン期間中において一時的に、そのユーザのログイン情報から特定される地域が利用地域とされてもよい。例えば、利用地域が東アジア地域である画像形成装置１００を米国人のユーザが利用する場合に、そのユーザのログイン期間中だけ一時的に、そのユーザのログイン情報から特定される欧米地域が利用地域とされてもよい。
【００５１】
また、印刷指示情報（印刷ジョブ）に地域データが含まれている場合には、その印刷指示情報の実行において一時的に、その地域データから特定される地域が利用地域とされてもよい。例えば、インターネットなどの通信回線を介して画像形成装置１００に通信接続されるパーソナルコンピュータなどの外部機器から印刷指示情報（印刷ジョブ）が送信される場合に、その外部機器に対応した地域を示す地域データが印刷指示情報に加えられることにより、その外部機器に対応した地域が一時的に利用地域とされる。
【００５２】
用紙選択部５０は、テーブル記憶部６０に記憶された複数地域のテーブル情報のうち、画像形成装置１００の利用地域（または一時的に変更された利用地域）に対応したテーブル情報に従って、指定用紙に代わる代替用紙を選択する。例えば、画像形成装置１００に設定された国情報が日本国であり、利用地域が東アジア地域であれば、東アジア地域のテーブル情報が利用される。また、例えば、画像形成装置１００に設定された言語情報が中国語であり、利用地域が中国地域であれば、中国地域のテーブル情報が利用される。そして、テーブル情報に示される指定用紙と代替用紙の対応関係に従って、指定用紙に代わる代替用紙が選択される。
【００５３】
図３は、指定用紙と代替用紙の対応関係の具体例を示す図である。図３には、テーブル情報（図２）に含まれる指定用紙と代替用紙の対応関係の具体例が図示されている。指定用紙に代わる代替用紙は、指定用紙にできる限り酷似した用紙であることが望ましい。例えば、指定用紙に近いサイズ（同等なサイズ）の用紙が代替用紙の候補とされる。
【００５４】
例えば、図３の具体例において、利用地域が東アジア地域であり、指定用紙がＩＳＯ−Ｂ４の場合には、ＩＳＯ−Ｂ４に近いサイズのＪＩＳ−Ｂ４が代替用紙の候補とされる。なお、代替用紙の候補が複数あってもよい。例えば、指定用紙がＩＳＯ−Ｂ４の場合に、ＪＩＳ−Ｂ４が代替用紙の第一候補とされ、さらに、Ａ３が代替用紙の第二候補とされてもよい。
【００５５】
また、図３の具体例において、利用地域が欧米地域であり、指定用紙がＪＩＳ−Ｂ３の場合には、ＪＩＳ−Ｂ３に近いサイズのＩＳＯ−Ｂ３が代替用紙の第一候補とされ、Ａ２が代替用紙の第二候補とされる。このように、指定用紙の候補となる複数種類の用紙について、各用紙ごとに代替用紙の候補が対応付けられる。
【００５６】
用紙選択部５０は、指定用紙を印刷用紙として選択できない場合に、その指定用紙に対応付けられた代替用紙を印刷用紙として選択する。例えば、図３に示す具体例において、利用地域が東アジア地域であり、指定用紙であるＩＳＯ−Ｂ４を印刷用紙として選択できない場合に、まず、第一候補のＪＩＳ−Ｂ４が代替用紙として選択される。そして、ＪＩＳ−Ｂ４の用紙が給紙トレイ４０にセットされていて利用可能な場合には、ＪＩＳ−Ｂ４の用紙が印刷用紙として選択される。また、第一候補のＪＩＳ−Ｂ４が利用できない場合には、第二候補のＡ３が代替用紙として選択され、Ａ３の用紙が給紙トレイ４０にセットされていて利用可能な場合には、Ａ３の用紙が印刷用紙として選択される。
【００５７】
このように、例えば、代替用紙の候補が複数ある場合には、優先順（第一候補，第二候補，・・・の順）に代替用紙が選択される。なお、複数の候補の中からユーザが代替用紙を選択できる構成としてもよい。また、指定用紙も代替用紙も選択できない場合には、その旨をユーザへ通知（例えば表示）することが望ましい。
【００５８】
さらに、代替用紙が選択できる場合であっても、選択された代替用紙に対する印刷の予想結果が不具合条件を満たすと制御部９０が判断した場合には、その代替用紙への印刷を中止してもよい。
【００５９】
例えば、指定用紙よりも代替用紙のサイズが小さく、その代替用紙へ画像データを印刷することにより画像の欠損（印字領域の欠損）が発生すると判断される場合に、その代替用紙への印刷が中止される。なお、画像の欠損が発生しないように画像の印刷サイズを縮小できる場合には、例えば、縮小することをユーザへ通知（表示）してユーザから印刷許可の指示を得てから、縮小画像を代替用紙に印刷するようにしてもよい。
【００６０】
また、代替用紙への印刷により、例えば、印刷位置や余白量が変化してしまい、指定用紙への印刷と同様な所望の印刷結果が得られないことが予想される場合にも、その代替用紙への印刷を中止することが望ましい。例えば、印刷指示情報に特殊処理（ポスター印刷など）や後処理（紙折り，折筋付け，製本）などの付加機能の指示が含まれる場合に、指定用紙に代えて代替用紙が選択されると、印刷される画像の中心位置などが所望の位置からずれてしまい、特殊処理や後処理により所望の結果が得られない場合がある。したがって、例えば、印刷指示情報に特殊処理や後処理などの付加機能の指示が含まれる場合には代替用紙への印刷を中止するようにしてもよい。
【００６１】
また、例えば給紙トレイ４０内の代替用紙の枚数が、印刷指示情報により指示される枚数よりも少なく、代替用紙への印刷が途中で終了してしまうことが予想される場合にも、その代替用紙への印刷を中止（印刷前に中止）することが望ましい。
【００６２】
また、指定用紙と代替用紙の対応関係をユーザが編集できるようにしてもよい。例えばユーザが編集を望む場合に、操作受付部１０が受け付けたユーザからの操作に応じて、テーブル編集部７０がテーブル情報に含まれる指定用紙と代替用紙の対応関係を編集（追加や修正や削除など）する。なお、テーブル記憶部６０に記憶された当初のテーブル情報はデフォルト情報として編集せずに残しておくことが望ましい。
【００６３】
また、用紙サイズに加えて（又は用紙サイズの代わりに）、用紙の紙質や色や穴あきか否かの相違により、用紙の候補が分類されてもよい。例えば、指定用紙のサイズがＩＳＯ−Ｂ４であり紙質が上質紙である場合に、ＩＳＯ−Ｂ４の普通紙が代替用紙の候補とされてもよい。もちろん、指定用紙と色のみが異なる用紙が代替用紙の候補とされてもよい。さらに、指定用紙のサイズがＩＳＯ−Ｂ４である場合に、ＩＳＯ−Ｂ４の穴あき用紙が代替用紙の候補とされてもよい。
【００６４】
以上、本発明の好適な実施形態を説明したが、上述した実施形態は、あらゆる点で単なる例示にすぎず、本発明の範囲を限定するものではない。本発明は、その本質を逸脱しない範囲で各種の変形形態を包含する。
【符号の説明】
【００６５】
１０  操作受付部、２０  通信部、３０  印刷処理部、４０  給紙トレイ、５０  用紙選択部、６０  テーブル記憶部、７０  テーブル編集部、８０  付加機能処理部、９０  制御部。
【図１】
2018024129.tif 000003
【図２】
2018024129.tif 000004
【図３】
2018024129.tif 000005